(57)【要約】  エネルギー変換のためのタービンおよび方法が提供され、ケーシングの冷却ダクト（２５）の出口（３３）の角位置φ３３は、静翼（１７）の後縁（２１）の角位置φ２１と、タービンに作用流体を供給する流体供給ダクト（１４）の角位置φ１４とに依存する。また、特定の角位置および軸方向位置に一体化したケーシングを設けることにより、高温、高圧にさらされないタービンの構成部品の不要な冷却が避けられる。
2013516561.tif 000002
【特許請求の範囲】
【請求項１】
エネルギー変換用タービンであって、該タービンは、
ケーシング（３ａ、３ｂ、３ｃ、３ｄ、３ｅ）と、
前記ケーシング内に支承され、軸方向に延びる回転軸（５）の回りに回転可能な回転シャフトと、
前記ケーシング内に形成された、作用流体供給用の少なくとも１つの流体導入ダクト（１３）と、
前記ケーシング内に固定された、後縁（２１）を有する少なくとも１つの静翼（１７）と、
前記ケーシング内に設けられた、出口（２９）を有する少なくとも１つの冷却ダクト（２５）と、
を備えており、
前記回転軸に関して、前記冷却ダクト（２５）の出口（２９）の中心（３３）の角度位置（φ３３）は、前記静翼の後縁（２１）の一部の角度位置（φ２１）から、第１のオフセット角度分のオフセットすなわち第１の角距離分、離れており、
前記回転軸に関して、前記冷却ダクトの出口の中心の角度位置（φ３３）は、前記流体導入ダクト（１３）の中心（１４）の角度位置（φ１４）から、第２のオフセット角度分のオフセットすなわち第２の角距離分、離れており、
前記第１の角距離は１０°未満、有利には５°未満であり、かつ、前記第２の角距離は３０°未満、有利には１５°未満であり、
前記少なくとも１つの冷却ダクト（２５）の出口（２９）の中心（３３）は前記少なくとも１つの静翼（１７）の下流側に配置されており、
前記少なくとも１つの冷却ダクトを含む複数の冷却ダクトは、作用流体の温度および圧力の両方が高く、最大の冷却が得られるように、配置されている、
ことを特徴とするタービン。
【請求項２】
前記第１の角距離は、前記静翼の角度範囲の２０％未満、有利には１０％未満である、請求項１記載のタービン。
【請求項３】
前記第２の角距離は、前記流体導入ダクトの角度範囲の３倍未満、有利には２倍未満である、請求項１または２記載のタービン。
【請求項４】
前記第１のオフセット角度は、前記少なくとも１つの静翼（１７）の後縁（２１）の軸方向位置（ｚ２１）と、前記冷却ダクト（２５）の出口（２９）の中心の軸方向位置（ｚ２３）との間の距離に依存し、かつ、
前記第２のオフセット角度は、前記流体導入ダクトの中心の軸方向位置（ｚ１４）と、前記冷却ダクト（２５）の出口（２９）の中心の軸方向位置（ｚ３３）との間の距離に依存する、請求項１から３までのいずれか１項記載のタービン。
【請求項５】
前記第１のオフセット角度は、前記静翼（１７）の形状および／または配向に依存する、請求項１から４までのいずれか１項記載のタービン。
【請求項６】
別の後縁（２１）を有する別の静翼をさらに備え、
前記少なくとも１つの静翼（１７）の後縁（２１）の軸方向位置は、前記別の静翼の後縁の軸方向位置に等しく、
前記第１のオフセット角度は、前記少なくとも１つの静翼（１７）の後縁（２１）の角度位置と、前記別の静翼の後縁の角度位置との間の距離に依存する、
請求項１から５までのいずれか１項記載のタービン。
【請求項７】
前記ケーシング内の前記冷却ダクト（２５）は入口（２７）を有し、
前記冷却ダクト（２５）の前記入口（２７）の中心と出口（２９）の中心とにより画定され、かつ、前記静翼（９）の拡がりの半径方向（ｘ）に垂直な平面（ｙ−ｚ）に投影される線は、前記後縁（２１）における点の該平面への投影および前記静翼（１７）の前縁における点の該平面への投影により画定される線を有する角度を含み、
前記角度は、３０°未満、有利には１５°未満である、
請求項１から６までのいずれか１項記載のタービン。
【請求項８】
前記冷却ダクト（２５）の出口（２９）は、前記軸方向に沿って、前記冷却ダクト（２５）の入口（２７）に対して下流側に配置されている、請求項７記載のタービン。
【請求項９】
前記ケーシングの複数の部分が冷却流体を収容するための冷却空間（３１）を画定しており、前記冷却流体は、前記冷却ダクト（２５）を介して、前記作用流体を収容する作用空間（１１、１１ａ、１１ｂ）に流れる、請求項１から８までのいずれか１項記載のタービン。
【請求項１０】
前記回転シャフトに固定された少なくとも１つの動翼（９）をさらに備え、該動翼（９）の半径方向の外周端には動翼先端（２３）が設けられている、請求項１から９までのいずれか１項記載のタービン。
【請求項１１】
軸方向に沿って、前記静翼（１７）の後縁（２１）は第１の軸方向位置（ｚ２１）に位置し、前記動翼先端（２３）は第２の軸方向位置（ｚ２３）に位置しており、
前記冷却ダクト（２５）の出口（２９）の中心（３３）の軸方向位置（ｚ３３）は、前記第１の軸方向位置と前記第２の軸方向位置との間に在る、請求項１０記載のタービン。
【請求項１２】
前記冷却空間（３１）を画定する前記ケーシング（３ａ、３ｂ、３ｃ、３ｄ、３ｅ）の複数の部分は、冷却流体のために以下の複数の位置において一体化されており、
前記複数の位置は、
前記第１の軸方向位置と前記第２の軸方向位置との間の軸方向位置を有し、かつ、
ａ）前記静翼の後縁の一部の角度位置から、前記第１のオフセット角度分のオフセットすなわち、２０°を超えて、有利には１５°を超えて離れた、または、
ｂ）前記流体導入ダクトの中心の角度位置から、前記第２のオフセット角度分のオフセットすなわち、３５°を超えて、有利には４０°を超えて離れた
角度位置を有する、
請求項１１記載のタービン。
【請求項１３】
前記ケーシング（３ａ、３ｂ、３ｃ、３ｄ、３ｅ）は、先端シール部分（３ｅ）を有し、該先端シール部分は、前記動翼（９）の動翼先端（２３）の軸方向位置（ｚ２３）に少なくともほぼ等しい軸方向位置を有する、請求項１０を含む場合、請求項１から１１までのいずれか１項記載のタービン。
【請求項１４】
前記複数の冷却ダクトの出口が不均一な角度で離れている、
前記複数の冷却ダクトの出口が異なるサイズおよび／または異なる形状を有する、
前記複数の冷却ダクトの異なる冷却ダクトが異なる量の冷却流体を供給するよう適合されている、
という特徴の少なくとも１つを有する、請求項１から１３までのいずれか１項記載のタービン。
【請求項１５】
ケーシング（３ａ、３ｂ、３ｃ、３ｄ）に固定された少なくとも１つの流体導入ダクト（１３）を介して作用流体を供給するステップと、
前記ケーシングに固定された、後縁（２１）を有する少なくとも１つの静翼（１７）に対して前記作用流体を流動させるステップと、
前記ケーシング内に回転可能に支承された回転シャフトを前記作用流体により駆動するステップと、
前記ケーシング内の少なくとも１つの冷却ダクト（２５）の出口（２９）を介して冷却流体を供給するステップと、
を含むエネルギー変換方法であって、
前記回転シャフトの回転軸に関して、前記冷却ダクト（２５）の出口（２９）の中心（３３）の角度位置（φ３３）は、前記静翼（１７）の後縁（２１）の一部の角度位置（φ２１）から、第１のオフセット角度分のオフセットすなわち第１の角距離分、離れており、
前記回転シャフトの回転軸に関して、前記冷却ダクト（２５）の出口（２９）の中心（３３）の角度位置（φ３３）は、前記流体導入ダクト（１３）の中心（１４）の角度位置（φ１４）から、第２のオフセット角度分のオフセットすなわち第２の角距離分、離れており、
前記第１の角距離は１０°未満、有利には５°未満であり、前記第２の角距離は３０°未満、有利には１５°未満であり、
前記少なくとも１つの冷却ダクト（２５）の出口（２９）の中心（３３）は前記少なくとも１つの静翼（１７）の下流側に配置されており、
前記少なくとも１つの冷却ダクトを含む複数の冷却ダクトが、作用流体の温度および圧力の両方が高く、最大の冷却が得られるように設けられている、
ことを特徴とする方法。
【請求項１６】
前記冷却ダクト（２５）により、前記回転シャフトに固定された動翼（９）の先端（２３）、および、前記ケーシングの先端シール部分（３ｅ）に対して、前記冷却流体を方向付けるステップをさらに含む、請求項１５記載の方法。
【発明の詳細な説明】
【技術分野】
【０００１】
本発明は、流動する流体（作用流体）からのエネルギーを変換するためのタービン、および、作用流体からのエネルギーを変換するための方法に関する。
【背景技術】
【０００２】
従来技術から、作用流体からのエネルギーを変換可能なタービンが知られている。特に、ポテンシャルエネルギー（圧力ヘッド）および／または運動エネルギー（速度ヘッド）の一部が、タービンを用いて作用流体から抽出することができ、かつ、回転エネルギーなどの機械エネルギーに変換することができる。特に、電気エネルギーの生成のための発電機の駆動、または、機械ポンプまたはコンプレッサの駆動のために、この回転エネルギーを用いることができる。
【０００３】
従来技術において、多数の異なる種類のタービンが存在している。蒸気タービンは流動する蒸気からエネルギーを抽出し、火力発電所での発電によく用いられている。蒸気はしたがって燃料ガス、石炭、石油または原子力を用いて生成可能である。ガスタービンには、燃料が燃焼される燃焼チャンバからの作用流体が供給される。燃料ガスはタービンの駆動、特に、燃焼チャンバのための圧縮空気を生成するために、燃焼チャンバの上流のコンプレッサの駆動のために用いられる。
【０００４】
一般に、タービンはケーシング内に軸受により回転可能に支承された回転シャフトを有する。複数の動翼が回転シャフトに接続され、回転シャフトから半径方向外側に延びている。動翼は、作用流体のエネルギーを動翼の機械運動に変換するため、特定の形の表面形状を有する。典型的なタービンでは、動翼はいわゆる動翼列に、回転シャフトの回転軸に対して実質的に垂直に配列されている。典型的には、タービンは、互いに軸方向に離れて配置された数個の動翼列を有する。対向する動翼列の間にはそれぞれ、回転シャフト用の軸受をさらに有するタービンのステータ部分に接続された静翼列が配置されている。したがって、動翼列は固定された静翼列に対して回転可能である。
【０００５】
ポテンシャルエネルギー（圧力ヘッド）および運動エネルギー（速度ヘッド）を有する作用流体は、軸方向、すなわち、回転シャフトの回転軸に沿って供給される。作用流体は静翼の最も上流側の列に衝突し、そこで、作用流体は最初の静翼列の下流側に設けられた動翼列に向かうように偏向される。作用流体はさらに動翼に衝突し、そのエネルギーの一部を動翼に移し、動翼を特定方向に動かす。このために、動翼は、衝突する作用流体のエネルギーを機械運動に最適に変換するための特定の形状とされている。動翼は回転シャフトに接続されているため、動翼の動きは回転シャフトの回転を生じさせる。
【０００６】
そのエネルギーを動翼列に移した作用流体は、下流側の翼型の静翼の列に達し、静翼により作用流体はさらに下流側の動翼に方向付けられる。この別の動翼列は、同様に、作用流体からいくらかのエネルギーを抽出し、これを機械エネルギーに変換する。最終的に、作用流体はそのエネルギーのほとんどを失い、最後の動翼列から排出ダクトへと出て、排出ダクトは、作用流体を周囲環境へと導く。
【０００７】
タービンの種類に関わらず、タービンの駆動に使用される作用流体は高温、高圧、高速である。したがって、動翼だけでなく静翼も高温、高圧、高速の流体の衝突に耐えるように構成され、設計されていなければならない。特に、動翼への衝突の際に、作用流体は機械エネルギーの形態だけでなく、熱エネルギーの形態でもエネルギーを移転する。したがって、タービンの他の構成部品、特に動翼、静翼およびケーシングも加熱される。動翼は加熱によって膨張し、隣接部品への干渉などの問題が生じうる。あるいは、材料温度の上昇により、部品の酸化および／または腐食が生じうる。
【０００８】
ケーシングやタービンのステータ部分の他の部品により画定される作用空間内を動翼は回転する。作用流体が確実に動翼に衝突して、そのエネルギーの実質的な一部が機械エネルギーに変換されるように、作用流体は動翼から半径方向外側に逃げないようにしなければならない。したがって、動翼の半径方向の最も外側の部分である翼の先端とケーシングとの間の間隙は、できるだけ小さくなければならない。動作中、高温の作用流体は、翼の先端を越えて、翼の先端とケーシングの先端シール部分との間の間隙を通り、したがって、翼の先端およびケーシングの先端シール部分が高温に加熱される。高温により、ケーシングの先端シール部分ならびに翼の先端の寿命は短くなる。従来、ケーシングの先端シール部分は動翼の上流側に配置されたコンプレッサからの供給空気によって冷却されている。しかし、この冷却は、パフォーマンスにおける制約となる。というのも、ケーシングの先端シール部分および翼の先端の冷却に用いる冷却空気は、燃焼中の温度上昇に寄与せず、したがって、動翼における機械仕事を大きく減少させるからである。
【０００９】
動翼の膨張を制御するため、大気により動翼を冷却することが提案されている。ＵＳ３，６４５，０９６には、ガスタービンエンジンにおける周縁部分の開口が開示されており、この周縁の開口はガスタービンのケーシングを通って延び、新鮮大気で動翼先端を冷却する。
【００１０】
ＥＰ１０２４２５１Ｂ１には、シュラウドおよび翼の先端の優先的な冷却が記載されている。
【００１１】
ＵＳ４，７３３，５３８には、ケーシングの円周方向に配置された複数の開口が開示されている。
【先行技術文献】
【特許文献】
【００１２】
【特許文献１】ＵＳ３，６４５，０９６
【特許文献２】ＥＰ１０２４２５１Ｂ１
【特許文献３】ＵＳ４，７３３，５３８
【発明の概要】
【発明が解決しようとする課題】
【００１３】
しかし、特にその効率に関して、タービンの動作が十分でない場合が多いことが観察されている。
【００１４】
したがって、改善された効率を示し、同時に、簡単な構成および／または高い耐久性を有する、流体からのエネルギーを変換するためのタービンを提供することに対するニーズが存在する。さらに、有利には、その効率に関して改善されたタービンの動作方法を提供することに関するニーズが存在する。
【課題を解決するための手段】
【００１５】
このニーズは、独立請求項に係る発明により満たされる。有利な実施形態が、従属請求項に記載されている。
【００１６】
一態様では、エネルギー変換用タービンが提供され、該タービンは、ケーシングと、ケーシング内に支承され、軸方向に延びる回転軸の回りに回転可能な回転シャフトと、ケーシング内に固定された、作用流体供給用の少なくとも１つの流体導入ダクトと、ケーシング内に固定された、後縁を有する少なくとも１つの静翼と、ケーシング内に設けられた、出口を有する少なくとも１つの冷却ダクトと、を備えている。ここで、回転軸に関して、冷却ダクトの出口の中心の角度位置は、静翼の後縁の一部の角度位置から、第１のオフセット角度分のオフセットすなわち第１の角距離分、離れており、かつ、冷却ダクトの出口の中心の角度位置は、流体導入ダクトの中心の角度位置から、第２のオフセット角度分のオフセットすなわち第２の角距離分、離れており、ここで、第１の角距離は１０°未満、有利には７°未満であり、より有利には５°未満であり、かつ、第２の角距離は３０°未満、有利には２０°未満であり、より有利には１５°未満である。ここで、少なくとも１つの冷却ダクトの出口の中心は少なくとも１つの静翼の下流側に配置されており、該少なくとも１つの冷却ダクトを含む複数の冷却ダクトは、作用流体の温度および圧力の両方が高く、最大の冷却が得られるように、配置されている。
【００１７】
本タービンは、任意の種類のタービン、たとえば、蒸気タービン、ガスタービンなどであってよい。したがって、ガスタービンは空気を圧縮する手段を有していても有していなくともよく、本タービンは、煙道ガスを燃料と混合し、煙道ガスと燃料との混合物を燃焼させる手段を有していても有していなくともよい。したがって、ガスタービンの場合、たとえば、下流を流れる流体は、圧縮空気と燃料の燃焼混合物すなわち排ガスを意味する。蒸気タービンの場合、たとえば、作用流体は、高エネルギーの水蒸気を供給する外部施設により送られる水蒸気を意味する。
【００１８】
有利には、流体は、たとえば、ポテンシャルエネルギー（圧力ヘッド）および／または運動エネルギー（速度ヘッド）および／または熱エネルギーの形態のエネルギーを有するガスである。
【００１９】
本タービンは、ケーシングと、回転シャフトを内部に回転可能に支承する他のステータ部分とを有する。タービンの動作中の摩擦を低減するため、回転シャフトはたとえば軸受により支承されている。回転シャフトは、たとえば、ケーシングと他のステータ部分とに対して、軸方向に延びる回転軸の回りに回転するよう適合されている。軸方向は、３次元座標系のｚ軸を定め、点は円筒座標（ρ、φ、ｚ）により表すことができる。これらの座標の意味は、以下の通りである。ｘ−ｙ平面がｚ軸に垂直に選択される。円筒座標（ρ、φ、ｚ）の所定点に関して、ρはｚ軸からこの点までの半径方向距離を表し、角度φはｘ−ｙ平面上の基準方向（たとえばｘ方向）と、座標系の原点からｘ−ｙ平面上のこの点の投影までの直線との間の方位角を表し、ｚはｘ−ｙ平面からこの点までの距離を表す。
【００２０】
本願において、半径方向とは回転軸から離れる方向を意味し、回転軸すなわち軸方向について９０°である。
【００２１】
流体導入ダクトは、タービンに作用流体を供給するために、有利には、作用流体を少なくとも１つの静翼に供給するために設けられている。有利には、タービンは、たとえば、共に完全な環を形成する複数の流体導入ダクトを有する。少なくとも１つの静翼がケーシングに固定されており、たとえば、回転シャフトに向かって半径方向内側に突出しており、回転シャフトは、静翼に対して回転可能である。少なくとも１つの静翼は、たとえば、凹状の上流側面と凸状の下流側面とを有する翼形状を有する。
【００２２】
本明細書において、作用流体は、構成部品の上流側だけでなく構成部品の下流側をも画定しうる流動方向を有する。構成部品の上流側とは、たとえば、構成部品において作用流体が方向付けられている側、すなわち、やってくる流体に面する側である。構成部品の下流側とは、作用流体が出発する側、すなわち、出て行く流体に面する側である。
【００２３】
静翼の後縁は、凹状面と凸状面とが結合する端部であり、静翼の凹状面と凸状面とが弓形の角度、たとえば、２０°以下を有する端部である。静翼の後縁および静翼の角度位置からずれた特定の角度位置において、動作中の作用流体の静圧はこの特定の位置から離れた他の領域におけるよりもはるかに高い場合がある。高い圧力を有するこの領域は、「高圧領域」ともいう。
【００２４】
いわゆる「立ち上がり領域（wake region）」とは、たとえば、各ノズル静翼の後縁近くのより圧力の低い領域である。高圧領域は、たとえば、立ち上がり領域の間に位置している。有利には、高圧領域は、たとえば、少なくともほぼ同じ軸方向位置を有する（すなわち同じ静翼列の）隣り合う静翼の後縁の角度位置の間の角度位置、たとえば、中間の角度位置を有する。さらに、高圧領域の角度位置は、多くの他のパラメタ、たとえば、静翼の形状、静翼の配向、静翼列全体の静翼の数に依存しうる。
【００２５】
冷却ダクトの出口の中心の角度位置は、静翼の下流側にあるが動翼の先端シール部分の上流側にある、動翼の半径方向のより外側の端部と静翼シュラウドとの間の、半径方向のより外側の間隙（以下では「臨界間隙」ともいう）と、静翼の後縁との間の軸方向距離に依存する。この間隙は、たとえば、動翼の先端シール部分とつながる空隙につながっている。高圧の角度位置において、動作中、高温の流体がこの臨界間隙を介して、作用空間に入り、先端シール部分を加熱し、タービンのステータ部分の先端シール部分および／または動翼先端の損傷のリスクをもたらす。実施形態によれば、これらのタービン部分の損傷を有利に避けまたは無くすための冷却能力が提供可能とされる。
【００２６】
冷却ダクトは冷却空気を作用空間に供給するためにケーシングに設けられ、作用空間に作業流体が流れ、作用流体が動翼に衝突して動翼にエネルギーが移される。冷却ダクトは、たとえば、冷却ダクトを通って流れる冷却ガスが、作用流体が流れる作用空間の半径方向外側の領域に達するように適合化されている。作用空間の半径方向外側の領域は、作用流体が動翼先端とケーシングのシール部分との間の臨界間隙に向かって漏れる領域を有する。有利には、冷却ガスは動翼の先端、有利には、ケーシングの先端シール部分などを冷却することができる。
【００２７】
冷却ガスを冷却すべきタービンの構成部品に適切に供給するため、たとえば、冷却ダクトの出口は特定の位置に配置される。出口の位置は、タービンの他の構成部品に対するその角度位置を定めることにより定めることができる。角度位置は、上述のように、回転軸が座標系のｚ軸を定める円筒座標φにより表すことができる。ｚおよびρの値に関わらず、出口の位置有利には出口の中心位置は、たとえば円筒座標φにより表されるその角度位置を特定することにより特定可能である。出口の中心は、たとえば、出口における冷却ダクトの出口領域の中心または出口をちょうど覆いまたは塞ぐ均一に負荷された表面の大部分の中心である。たとえば、出口が環状の場合、出口の中心は環の中央の点である。さらに、出口が長方形の場合、出口の中心はたとえば長方形の対角線の交差点である。
【００２８】
冷却ダクトの出口の中心のφ座標は、静翼の後縁の一部のφ座標に対して相対的に（第１のオフセット角度分のオフセット）、および、流体導入ダクトの中心のφ座標に対して相対的に（第２のオフセット角度分のオフセット）、定められる。また、流体導入ダクトの中心は、たとえば、流体導入ダクトをちょうどカバーまたはブロックする均一に負荷された面の大部分の中心である。たとえば、流体導入ダクトが環状の出口を有する場合、流体導入ダクトの中心は環の中央部分である。冷却ダクトの出口の中心のφ座標は、静翼の後縁の一部のφ座標から１０°未満、有利には５°未満である（第１のオフセット角度分のオフセット）。したがって、冷却ダクトの出口の好ましい位置は、たとえば、静翼の後縁の相対的な軸方向位置に依存する。というのも、静翼の下流側の高圧領域は、作用流体が下流側に流れる際に、その円周方向（すなわち角度）位置を変化させるからである。
【００２９】
したがって、静翼の後縁の一部は、たとえば、静翼の下流側の最も遠くに位置する後縁の一部である。他の実施形態では、静翼の後縁の一部は、たとえば、半径方向の最も外側、すなわち周囲のケーシングに最も近い後縁における点である。
【００３０】
さらに、冷却ダクトの出口の中心のφ座標は、流体導入ダクトの中心のφ座標から３０°未満、有利には１５°未満ずれている（第２のオフセット角度分のオフセット）。別の実施形態では、冷却ダクトの出口の中心のφ座標は、さらに、静翼の後縁の一部のφ座標および流体導入ダクトの中心からずれており、これらは、それぞれ第１および第２のオフセット角度分のオフセットである。有利には、冷却ダクトの出口の中心は、たとえば、回転軸すなわち軸方向に関するその角度位置に関して、静翼の後縁の一部と第１のオフセット角度分のオフセットで、および、流体導入ダクトの中心と第２のオフセット角度分のオフセットで、少なくともほぼ一致されている。
【００３１】
有利には、２点間の角距離は、たとえば、円筒座標φの値の差により表される。
【００３２】
冷却ダクトは、動作中に高温および高圧にさらされるタービンの構成部品の効果的な冷却が実現可能なように配置されている。
【００３３】
「空隙」は、動翼の先端シール部分の上流の空間領域（静翼の翼面の半径方向外側の端部から半径方向の外側）であって、冷却ダクト出口が位置し、作用流体、すなわち、主な流路ガスが臨界間隙を通って漏れる場所を指す。一実施形態では、冷却ダクトの入口および出口は以下のように定めることができる。
１）空隙内に拡散空気を入れる際の混合損失が最少化されるように、冷却ダクトの配向角度が固定されている。
２）冷却空気が高温および高圧の作用流体が空隙に入る点に向けられるように、冷却孔の円周方向（角度）位置に出口が固定されている。
３）冷却ダクトへの入口の必要な位置を計算するために、冷却ダクトの配向角度および冷却ダクトの出口の位置が用いられている。
【００３４】
他の実施形態では、たとえば、冷却ダクトの位置を定めるための他の工程を実行する。
【００３５】
本タービンの一実施形態では、第１の角距離は、静翼の角度範囲の２０％未満、有利には１０％未満である。静翼の角度範囲は、たとえば、静翼の前縁を定めるφ角度と、静翼の後縁を定めるφ角度との差により表される。たとえば、静翼の角度範囲が３０°である場合、第１の角距離は６°未満、有利には３°未満である。
【００３６】
本タービンの他の実施形態では、第２の角距離は、流体導入ダクトの角度範囲の３倍未満、有利には２倍未満である。流体導入ダクトの角度範囲は、たとえば、流体導入ダクトの最大サイズまたは最大径を定める流体導入ダクトの点のφ角度における差である。
【００３７】
本タービンの他の実施形態では、第１のオフセット角度は、少なくとも１つの静翼の後縁の軸方向位置と、冷却ダクトの出口の中心の軸方向位置との間の距離に依存し、かつ、第２のオフセット角度は、流体導入ダクトの中心の軸方向位置と、冷却ダクトの出口の中心の軸方向位置との間の距離に依存する。したがって、第１のオフセット角度は、たとえば、少なくとも１つの静翼の後縁の軸方向位置と冷却ダクトの出口の中心の軸方向位置との間の距離が大きいほど大きく、そして、第２のオフセット角度は、たとえば、流体導入ダクトの中心の軸方向位置と冷却ダクトの出口の中心の軸方向位置との間の距離が大きいほど大きい。したがって、第１のオフセット角度および第２のオフセット角度は、たとえば、作用流体が流体導入ダクトから冷却ダクトの出口に流れるときは作用流体の回転量に依存し、そして、作用流体が静翼から冷却ダクトの出口まで流れるときは作用流体の回転量に依存する。
【００３８】
さらに、第１のオフセット角度は、たとえば、少なくとも１つの静翼の後縁の軸方向位置と、上述のように高温の流体の空隙への入り込みに介在する臨界間隙の軸方向位置との間の距離に依存する。
【００３９】
本タービンの他の実施液体では、第１のオフセット角度は、静翼の形状および／または配向に依存する。静翼の形状および／または配向はたとえば作用流体の流れる方向に影響し、したがって、作用流体が臨界間隙に達する角位置に影響しうる。
【００４０】
他の実施液体では、本タービンは、別の後縁を有する別の静翼をさらに備え、少なくとも１つの静翼の後縁の軸方向位置は、該別の静翼の後縁の軸方向位置に等しく、第１のオフセット角度は、少なくとも１つの静翼の後縁の角度位置と、該別の静翼の後縁の角度位置との間の距離に依存する。２つの静翼の下流側の直後で、圧力の上昇した領域が、動作中の２つの後縁の間に発生する。この高圧領域の角位置は、作用流体のらせん状の動きにより、静翼の下流の軸方向位置に依存して変化しうる。
【００４１】
本タービンの他の実施形態では、ケーシング内の冷却ダクトは入口を有するものであり、ここで、冷却ダクトの入口の中心と出口の中心とにより画定され、かつ、静翼の拡がりの半径方向に垂直な平面に投影される線は、後縁における点の該平面への投影および静翼の前縁における点の該平面への投影により画定される線を有する角度を含み、角度は、３０°未満、有利には１５°未満である。有利には、冷却ダクトはたとえば入口から出口まで直線状に延びている。有利には、冷却ダクトはたとえば直線状の孔をケーシング内に開けることにより形成される。有利には、半径方向に沿って投影されたとき、静翼および冷却ダクトは３０°未満、有利には１５°未満その配向において外れている。したがって、動作中、作用流体はたとえば、冷却ダクトを流れる冷却ガスと少なくともほぼ同じ方向を流れ、したがって、冷却効果は向上される。なぜなら、さもなければ冷却ガスと作用流体との間の速度差が乱流を引き起こすからである。
【００４２】
本タービンの他の実施形態では、冷却ダクトの出口は、軸方向に沿って、冷却ダクトの入口に対して下流側に配置されている。したがって、冷却ダクトの入口から作用空間に流れ出る冷却ガスは、作用流体の全体速度に平行な速度成分を有しうる。さらに、冷却ダクトの出口から出る冷却ガスは有利に冷却ダクトの出口に対してさらに下流側に配置されたタービンの構成部品に向けられている。冷却すべきこれらの構成部品には、たとえば、動翼、動翼先端および／または、軸方向において動翼先端の軸方向位置に位置するケーシングの先端シール部分が含まれる。
【００４３】
本タービンの他の実施形態では、ケーシングの複数の部分が冷却流体を収容するための冷却空間を画定しており、冷却流体は、冷却ダクトを介して、作用流体を収容する作用空間に流れる。他のタービンの構成部品は冷却空間を画定するよう寄与する。あるいは、冷却空間はケーシングとは別の容器により画定されていてよい。冷却空間は、外部源からの冷却流体で強められてよく、または、少なくとも１つの静翼の上流側のコンプレッサから放風により供給されてもよい。冷却流体は、たとえば、２００°〜６００°の温度の気体である。作用空間における作用流体は、たとえば、８００°〜１４００°の温度である。静翼はたとえば作用空間内に配置される。
【００４４】
本タービンの他の実施形態では、タービンは回転シャフトに固定された少なくとも１つの動翼をさらに備え、該動翼の半径方向の外周端には動翼先端が設けられている。動翼はたとえば衝突する作用流体のエネルギーを機械エネルギーに変換するために適した上流側面と下流側面とを有する。したがって、動翼は円周方向に駆動される。動翼は回転シャフトに固定されているので、回転シャフトはケーシングおよび静翼に相対的に回転する。少なくとも１つの動翼は軸方向で少なくとも１つの静翼の下流側に配置可能である。
【００４５】
本タービンの他の実施形態では、軸方向に沿って、静翼の後縁は第１の軸方向位置に位置し、動翼先端は第２の軸方向位置に位置しており、冷却ダクトの出口の中心の軸方向位置は、第１の軸方向位置と第２の軸方向位置との間に在る。したがって、冷却ダクトの出口を出る冷却流体は、有利に、動翼の動翼先端を冷却することができる。さらに、動翼先端と少なくともほぼ同じ軸方向位置にあるケーシングの先端シール部分は、有利に、冷却ダクトの出口を出る冷却流体により同様に冷却可能である。
【００４６】
別の実施形態では、冷却ダクトの出口の中心の軸方向位置は、第１の軸方向位置と第２の軸方向位置との間にはないが、たとえば、静翼の後縁の軸方向位置よりもさらに上流側にある。
【００４７】
本タービンの他の実施形態では、冷却空間を画定するケーシングの複数の部分は、冷却流体のために以下の複数の位置において一体化されており、該複数の位置は、第１の軸方向位置と第２の軸方向位置との間の軸方向位置を有し、かつ、静翼の後縁の一部の角度位置から、第１のオフセット角度分のオフセットすなわち、２０°を超えて、有利には１５°を超えて離れた、または、流体導入ダクトの中心の角度位置から、第２のオフセット角度分のオフセットすなわち、３５°を超えて、有利には４０°を超えて離れた角度位置を有する。オフセット角度はたとえば下流側に流れるとき作用流体の回転によりゼロよりも大きい。したがって、高圧領域は軸方向位置に依存する異なる角度位置に回転可能である。上記位置において、ケーシングは一体化されており、したがって、冷却流体に対して密であり、冷却流体は上記位置においてケーシングを通過することはできない。したがって、上記位置において、冷却流体は作用空間に供給されることはなく、これらの領域における構成部品の冷却は少なくとも無いものとされる。上記の定められた位置は、たとえば、有利には、冷却ダクトを有しない。したがって、冷却流体は節約可能であり、したがって、タービンの効率が向上される。
【００４８】
作用空間内の圧力および温度に関して上記で定められた位置は、この領域における構成部品に対して厳しすぎることはなく、したがって、たとえばこの領域の過剰な冷却は不要である。それにもかかわらず、タービンの正確な機能は維持可能である。
【００４９】
本タービンの他の実施形態では、ケーシングは、先端シール部分を有し、該先端シール部分は、動翼の動翼先端の軸方向位置に少なくともほぼ等しい軸方向位置を有する。動作中、それぞれの回転に関して、動翼（または複数の動翼が設けられている場合には各動翼）はケーシングの先端シール部分に達し、シール部分と動翼の動翼先端との間に間隙が形成される。動作中、ケーシングの先端シール部分および動翼の動翼先端は、先端シール部分と動翼先端との間の間隙を流れる高温、高圧の作用流体にさらされる。冷却ダクトの出口が先端シール部分および動翼の動翼先端の上流側に位置するとき、先端シール部分と動翼の動翼先端の両方は有利に冷却ダクトの出口を出る冷却流体により冷却可能である。
【００５０】
本タービンの一実施形態は、複数の冷却ダクトの出口が不均一な角度で（円周方向において）離れている（これにより、第１の出口は第２の出口から円周方向に第１の角度距離分離れており、そして、第２の出口は第３の出口から円周方向に第１の角度距離とは異なる第２の角度距離分離れている）、複数の冷却ダクトの出口が異なるサイズおよび／または異なる形状を有する（これにより冷却流体の異なる量および速度の供給が可能とされる）、複数の冷却ダクトの異なる冷却ダクトが異なる量の冷却流体を供給するよう（たとえばその形状、サイズおよび配置に関して）適合されている、という特徴の少なくとも１つを有する。これらの条件は、たとえば、（角度および軸方向の範囲により定めることができる）特定の領域に、より高い温度および／または圧力があるときに、より多くの冷却流体を供給することを目的としている。さらに、これらの条件はたとえば、（角度および軸方向範囲により定めることができる）特定の領域に、より低い温度および／または圧力があるときに、より少ない冷却流体を供給することを目的としている。したがって、冷却はたとえば最も臨界的な領域に狭められかつ制限される。
【００５１】
以下では、本タービンの他の例示的な実施形態について記載する。しかし、これらの実施形態は以下のタービンを動作するための方法にも適用することができる。
【００５２】
本発明の上述の態様および他の態様が以下に記載の実施形態の実施例から明らかとなり、実施形態の実施例を参照して説明される。本発明は、実施形態の実施例を参照してより詳細に以下説明されるが、本発明はこれに限定されない。
【００５３】
別の態様では、エネルギー変換方法が提供され、該方法は、ケーシングに固定された少なくとも１つの流体導入ダクトを介して作用流体を供給するステップと、ケーシングに固定された、後縁を有する少なくとも１つの静翼に対して作用流体を流動させるステップと、ケーシング内に回転可能に支承された回転シャフトを作用流体により駆動するステップと、ケーシング内の少なくとも１つの冷却ダクトの出口を介して冷却流体を供給するステップと、を含むエネルギー変換方法が提供され、回転シャフトの回転軸に関して、冷却ダクトの出口の中心の角度位置は、静翼の後縁の一部の角度位置から、第１のオフセット角度分のオフセットすなわち第１の角距離分、離れており、回転シャフトの回転軸に関して、冷却ダクトの出口の中心の角度位置は、流体導入ダクトの中心の角度位置から、第２のオフセット角度分のオフセットすなわち第２の角距離分、離れており、第１の角距離は１０°未満、有利には５°未満であり、第２の角距離は３０°未満、有利には１５°未満であり、少なくとも１つの冷却ダクトの出口の中心は少なくとも１つの静翼の下流側に配置されており、少なくとも１つの冷却ダクトを含む複数の冷却ダクトが、作用流体の温度および圧力の両方が高く、最大の冷却が得られるように設けられている。
【００５４】
本発明は、効率性を向上するために、有利に、タービンを動作するために用いることができる。作用流体は高温、高圧の流体、たとえば、１または複数の燃焼チャンバから排出される気体であってよい。作用流体は、流体導入ダクトの中心が特定の角位置を有するように配置された、少なくとも１つの流体供給ダクトを介して供給され、この角位置は、たとえば円筒座標系の角度φを尺度とすることができる。複数の流体導入ダクトがたとえば、環を形成するように環状に配置されている。有利には、作用流体の供給により、角位置において流体供給ダクトの中心の角位置に近い（第２のオフセット角度分のオフセット）タービンの構成部品は、角位置に関して流体供給ダクトの角位置からより離れた（第２のオフセット角度分のオフセット）構成部品よりも加熱される。したがって、その角位置に関して流体供給ダクトの角位置（第２のオフセット角度分のオフセット）により近いタービンの構成部品は、流体導入ダクトの角位置からその角位置に関して離れた角位置よりも、より強い冷却が必要な場合がある。より強い冷却が必要な位置は、「高温スポット」ともいう。したがって、「高温スポット」は、たとえば、回転する作用流体により軸方向位置を変化させるために変化する角度パターンを形成する。
【００５５】
作用流体は少なくとも１つの静翼に向かって流れ、作用流体の一部は静翼の凹状の上流側面に沿って流れ、そして、作用流体の一部は静翼の凸状の下流側面に沿って流れる。静翼の凸状側は、静翼の吸引側といわれ、静翼の凹状側は静翼の圧力側ともいう。静翼は、凸状面の下流側の圧力が凹状面の上流側よりも低いように、作用流体を凸状面および凹状面に沿って導く。
【００５６】
作用流体は静翼の両面に沿って流れて静翼の後縁に達し、後縁において静翼の凸状面は静翼の凹状面と結合している。流れを阻害する前縁により生じる損失、および、翼の圧力側と吸引側からの流れの乱れによって、静翼の後縁の下流側は、静翼の凸状面の下流側の他の領域に対して、より低圧となる。より低圧の領域の間には比較的高圧の領域があり、「高圧スポット」ともいう。高圧スポットはその角位置により特定可能であり、円筒座標角度φとして表すことができる。流体は高圧側から低圧側に流れるため、作用流体はこれらの高圧スポットにおいて流路から離れて空隙内に漏れやすい。
【００５７】
有利には、高温スポットの角位置に近くかつ高圧スポットの角位置に近い角位置を有するタービンの構成部品は、これらの構成部品の損傷リスクの拡大をもたらす漏れ気体からの特定の高温にさらされる。これらの損傷を避けるため、有利には、高温スポットおよび高圧スポットの角位置を有する臨界間隙に位置するまたはこれを通るこれらの構成部品は、上記方法により有利に冷却可能である。
【００５８】
一実施形態では、本方法は、冷却ダクトにより、回転シャフトに固定された動翼の先端、および、ケーシングの先端シール部分に対して、冷却流体を方向付けるステップをさらに含む。先端シール部分および／または動翼先端の冷却は、タービンの故障を無くし、タービンの耐久性および効率を向上させる。
【００５９】
以下では、タービンの他の例示的実施形態について記載される。しかし、これらの実施形態はタービンの動作方法にも適用することができる。
【００６０】
本発明の実施形態について異なる対象を参照して記載した。有利には、いくつかの実施形態は方法タイプの請求項に関して記載し、一方で、他の実施形態は装置タイプの請求項に関して記載した。しかし、特に言及しない限り、当業者は上述のおよび以下の実施形態から、一方のタイプの発明に属する特徴の任意の組み合わせの他に、異なる対象に関連する特徴の任意の組み合わせ、特に、方法タイプの請求項の特徴と装置タイプの請求項の特徴の組み合わせが本願書類により開示されているものと理解されることについて、理解することができるであろう。
【００６１】
本発明の上述の態様および他の態様は、以下に記載の実施形態の実施例から明らかであり、実施形態の実施例を参照して説明される。本発明は、実施形態の実施例を参照して以下より詳細に記載されるが、本発明はこれに限定されない。
【００６２】
「含む」、「有する」の語は、他の構成要素またはステップを除外するものではなく、また、「１つ」の語により限定しない限り、複数は除外されない。また、異なる実施形態に関連して記載された要素は、組み合わせてもよい。請求項中の参照番号は特許請求の範囲を限定するものと解されるべきではない。
【００６３】
本発明について、添付図面を参照して例示的実施形態により、以下記載される。
【図面の簡単な説明】
【００６４】
【図１】一実施形態に係るタービンの少なくとも一部の概略図である。
【図２】直線方向において角度方向をロールアップすることによる図１のタービンの部分の概略図である。
【図３Ａ】一実施形態に係る角位置および角度範囲を示す図である。
【図３Ｂ】一実施形態に係る角位置および角度範囲を示す図である。
【図３Ｃ】一実施形態に係る角位置および角度範囲を示す図である。
【発明を実施するための形態】
【００６５】
図１は、一実施形態に係るタービン１の少なくとも一部の概略図を示す。すなわち、本実施形態を定めるために不可欠ではないいくつかの部分を省いて図を簡略化した。タービン１は複数のケーシング部分３ａ、３ｂ、３ｃ、３ｄを有し、タービンの内部に図示しない回転シャフトが支承されている。回転シャフトは、たとえば、パッド軸受または流体軸受を含む１つまたは複数の軸受（図示せず）によりさらに支承されている。回転シャフトは、座標系のｚ軸と一致する回転軸５を中心として回転可能である。部分的に示す動翼ホルダ７は回転シャフトに接続されている。動翼ホルダは半径方向外側に突き出し、作用空間１１、１１ａ、１１ｃ内に動翼９が配置されるように動翼９を保持する。作用流体は流体導入ダクト１３を介して供給され、作用空間１１、１１ａ、１１ｃ内を矢印１５により示される方向に沿って流れる。
【００６６】
作用流体は、流体導入ダクト１３（簡略化して示す）を介して、さらに上流側の（図１の流体導入ダクトのさらに左側に位置する）１つまたは複数の燃焼チャンバにより供給される。作用流体は運動エネルギーおよびポテンシャルエネルギーを運び、これらはタービン１により少なくとも一部が回転エネルギーに変換される。このエネルギー変換を実現するため、作用流体は前縁１９および後縁２１を有する静翼１７に向かって方向付けられ、前縁１９および後縁２１は上流側面１８と下流側面２０とを結合する。
【００６７】
作用流体は静翼１７の凹状の上流側面１８に沿って流れ、静翼１７の凸状の下流側面２０に沿って流れ、軸５の回りに動翼ホルダ７によって回転可能な図示しない回転シャフトに接続された動翼９に向かって方向付けられる。作用流体はそのエネルギーの少なくとも一部を動翼９に移し、動翼９に円周方向の動きを生じさせる。これにより、回転シャフトは回転される。
【００６８】
動翼９は半径方向の外側端部に動翼先端２３を有する。動翼先端２３は動作中、ケーシングの先端シール部分３ｅに近接し、動翼先端２３とケーシングのシール部分３ｅとの間に可能な限り小さく間隙が形成される。したがって、作用空間１１ａから間隙を介してさらに動翼９の下流側の作用空間１１ｂに流れる作用流体は少ないものとされ、そうでなければタービン１の効率が損なわれる。しかし、動翼９の上流側の作用空間１１ａの、動翼の下流の作用空間１１ｂにおけるものより高い圧力を有する作用流体の一部は、動翼先端２３と先端シール部分３ｅとの間の間隙を通って流れ、これは動翼先端２３および先端シール部分３ｅを熱する。
【００６９】
タービン１のこれらの構成部品および他の隣接する構成部品を冷却するため、入口２７および出口２９を有する冷却ダクト２５がケーシングの構成部品３ｄに設けられている。冷却ダクト２５はケーシング構成部品３ｄを通る直線状の孔を開けることにより形成することができる。図示の実施形態では、冷却ダクト２５はケーシング材料の円筒状の内部表面により画定されるケーシング内の開口として考えることができる。冷却ダクトの中心線は、たとえば、冷却ダクトを画定する円筒面の対称軸である。この中心線は、図１の図平面内には存在せず、図平面に対して４０°〜８０°、有利には５０°〜７０°の傾きを有しており、これは図２を参照してより詳細に説明される。さらに、ｘ−ｚ平面に投影される冷却ダクト２５の対称軸は、ｚ軸に対して４０°〜６０°の角度を有する。
【００７０】
タービンステータの部分、たとえば部分３ｂ（ノズル静翼の部分）、部分３ａ、部分３ｄおよび他の図示しないタービンステータ部分は、冷却流体を収容するための冷却空間３１を画定する。冷却流体はたとえばコンプレッサから冷却空間３１に供給される。コンプレッサはたとえば図示しない上流領域に配置されている。冷却空間３１内に収容される冷却流体は、たとえば、作用空間１１ａ内の作用流体よりも高い圧力を有し、したがって、冷却流体は冷却ダクト２５を介して導かれ、作用空間１１ａに向かって出口２９より冷却ダクトを出る。
【００７１】
冷却ダクト２５の出口２９の中心３３はたとえば出口２９の出口領域の中心であり、この中心を通って冷却流体は冷却ダクトを出て作用空間１１ａに達する。静翼１７の後縁２１の軸方向位置ｚ２１、冷却ダクト２５の出口２９の中心３３の軸方向位置ｚ３３および回転翼９の先端２３の軸方向位置ｚ２３が、図１に示されている。冷却ダクト２５の出口２９の中心３３の位置ｚ３３は、静翼１７の後縁２１の軸方向位置ｚ２１と、動翼９の先端２３の軸方向位置ｚ２３との間にある。したがって、冷却ダクト２５を介して導かれる冷却流体は、これらの構成部品を冷却するために、先端２３および先端シール部分３ｅに向かって流れることができる。他の実施形態では、冷却ダクト２５の出口２９の中心３３の軸方向位置ｚ３３はたとえば静翼１７の後縁２１の軸方向位置ｚ２１の上流にある。
【００７２】
冷却空気の大部分は領域１１ａには入らず、動翼先端２３を越えて流れるようにしてもよい。空間１１ａに入ることにより「無駄にされる」冷却空気の量は、冷却ダクト２５を適切に配向し、配置することにより低減することができる。
【００７３】
図１はタービンの部分概略図であり、タービン１は角位置において離れた複数の静翼を有し、これらの静翼は少なくともほぼ同じ軸方向位置に配置されて静翼列を形成する。また、タービン１は複数の動翼を有し、これらの動翼は少なくともほぼ同じ軸方向位置に配置されて動翼列を形成する。また、タービン１において、複数の動翼列と複数の静翼列とは異なる軸方向位置で交互に配置されている。
【００７４】
図１に示していないパッド軸受により、回転シャフトが摩擦を低減するためにケーシング３内に回転可能に支承されている。
【００７５】
特定の態様において、図１のｘ−ｚ平面内の位置は、たとえば、その回転座標φに関して値０を有する。
【００７６】
図２は、図１のタービンの部分概略図であって、その構造を展開図において示したものであり、タービン１の円周方向について直線状に展開されている。したがって、タービン１の円周方向に沿った位置は円筒座標において角度φにより定められる。図２の展開図において、複数の動翼９が少なくともほぼ同じ軸方向位置で示されている。１つの動翼ディスクの動翼の数は、実施形態に応じて、１２〜７０の間で変えることができる。各動翼９は、軸方向位置ｚ２３を有する動翼先端２３を有する。１つの動翼ディスクの動翼９の異なる動翼先端２３は実質的に同じ軸方向位置ｚ２３を有するが、異なる方位角φ２３により表される異なる角位置を有し、ここでφは図２の垂直軸に沿って寸法付けられる円筒座標である。
【００７７】
タービン１は、実質的に同じ軸方向位置を有する複数の静翼１７、１７’を有する。各静翼は、後縁２１において結合されている凹状の上流側面１８および凸状の下流側面２０を有する。複数の静翼１７、１７’の後縁２１、２１’は少なくともほぼ同じ軸方向位置ｚ２１を有し、これらはφ２１で表される異なる角位置を有する。
【００７８】
図２に展開図で示されるタービン１は、複数の（図２中、２つのみ図示）流体導入ダクト１３を有する。流体導入ダクト１３を介して、上流の燃焼チャンバを出る作用流体が矢印１５で示される方向に導入される。各流体導入ダクト１３は、流体導入ダクトの中心１４に結びつけられており、これは、均一に負荷される供給領域の大部分の中心などの導入領域の中心である。複数の流体導入ダクトは同じ軸方向位置ｚ１３を有するが、これらは角度φ１４で表される異なる角位置を有する。
【００７９】
一実施形態では、タービンのケーシングは、特定のφ値および特定のｚ値を有する領域において、冷却流体が冷却空間から動翼９が回転する作用空間１１ａ、１１ｂへ入ることができないように一体化されている。これらの一体化領域は後縁２１の軸方向位置（すなわちｚ２１）と、動翼９の動翼先端２３の軸方向位置（すなわちｚ２３）との間の軸方向位置を有する。また、ケーシングの一体化領域は、オフセット角度分ずれた、静翼１７、１７’の後縁２１の複数の異なる角位置φ２１に位置する外側範囲Δφ（ｅｄｇｅ）にあるφ値を有する。図示の実施形態では、オフセット角度は同じ静翼列の（すなわち同じ軸方向位置の）隣り合う静翼の後縁の角位置の間の差の約半分の量である。別の実施形態では、オフセット角度は、たとえば、静翼の後縁の軸方向位置／差、冷却ダクトの中心、図１の臨界間隙の位置Ｃ、静翼の形状および／または配向、ならびに、冷却ダクトの配向にも依存する差の値を仮定する。
【００８０】
一体化領域の角位置の、後縁と一体化領域の軸方向位置との間の軸方向距離への依存性は、たとえば、作用流体のらせん状の動きによる（たとえば作用流体の方向１５がφの方向に成分を有することを意味する）。作用流体のらせん状の動きは、便宜上図２において示していないが、一体化領域３５および冷却ダクト２５の出口２９を含む領域３７の両方の軸方向位置および角位置を適切に定めることを考慮に入れる必要がある。
【００８１】
さらに、ケーシングの一体化領域は、流体導入ダクト１３の複数の中心１４に位置する領域Δφ（ｅｎｔｒｙ）の外側にあるφ値の範囲にも形成されている。図２に示す実施形態では、範囲Δφ（ｅｄｇｅ）およびΔφ（ｅｎｔｒｙ）は、静翼１７の後縁２１および導入ダクト１３の中心１４の角位置にそれぞれ中心付けられ、すなわち、第１の角度オフセットおよび第２の角度オフセットはそれぞれ図面が不明確とならないように、ゼロに設定されている。他の実施形態では、第１の角度オフセットおよび第２の角度オフセットは、０より大きく、作用流体の回転により、導入ダクト１３の中心１４と冷却ダクト２５の出口の中心３３との相対的な軸方向位置、および、静翼１７の後縁２１と冷却ダクト２５の出口の中心３３との相対的な軸方向位置に依存する。
【００８２】
範囲Δφ（ｅｄｇｅ）およびΔφ（ｅｎｔｒｙ）は、特定の場合に依存した異なる寸法を仮定する。Δφ（ｅｄｇｅ）に関する可能な値は、たとえば、１０°、５°または２°であり、Δφ（ｅｎｔｒｙ）に関する可能な値は、たとえば、６０°、３０°、１５°または１０°である。ケーシングの一体化領域は、軸方向位置ｚ２１とｚ２３との間の図２の端部領域３５である。一実施形態では、冷却ダクト２５の出口２９は、一体化領域３５の外側の領域３７にのみ存在する。しかし、ｚ２１とｚ２３との間の範囲Δｚ内に無いケーシング領域において、さらに、冷却ダクト２５の出口２９が存在してもよい。
【００８３】
有利には、タービン１の動作中、領域３５の温度および圧力と比較して、領域３７において上昇した温度および上昇した圧力が存在している。したがって、特にこれらの高温、高圧領域では、タービンの構成部品有利には動翼先端２３およびシール部分３ｅの冷却は、冷却空間３１から冷却ダクト２５を通って出口２９より出て、先端シール部分３ｅを含む半径方向外側の空隙に向けての、冷却流体の導入により行われる。また、領域３７と比較して温度および圧力が低いハッチング領域３５内に冷却ダクトの出口を設けないことにより、不要な冷却を避けることができ、したがって、有利には、冷却流体の供給を節減することができる。これにより、タービンの効率が改善可能である。
【００８４】
図３Ａ、３Ｂおよび３Ｃは、ケーシングの一体化領域および冷却ダクトの出口を有しうる領域を定めるための別の実施形態を示す。
【００８５】
図３Ａは、角位置（水平軸）に依存した温度の分布（垂直軸）を示す図であり、これは円周方向位置または円筒座標φによって表すことができる。低温値ＬＴから温度は上昇し、φ値φＨＴにおいて高温値ＨＴに達し、その後温度は値ＬＴまで低下する。最大温度ＨＴの中心およびガウス状曲線３９の幅は、タービン１の上流領域に配置された流体導入ダクトの角位置および構成、および／または、さらに上流の流体導入ダクト内の燃焼チャンバの位置に依存している。図３Ａに示される温度分布は、たとえば、静翼１７の後縁２１と動翼９の前縁との間の、図１中の位置Ｃで示される軸方向位置における温度分布を表す。位置Ｃは、たとえば、高温、高圧の流体が動翼先端２３から上流に半径方向外側に位置する空隙に入る臨界軸方向位置である。作用流体は、異なる角位置および軸方向位置の動翼先端２３に達し、冷却ダクト２５の出口２９は動翼先端およびシール部分３ｅを冷却するように配置され、ここで、位置Ｃにおいて間隙を通る主な流路から漏れる作用流体は動翼先端２３に達する。
【００８６】
図３Ｂは、円筒座標φまたは円周方向位置により表される角位置に依存した圧力分布４１（垂直軸）を示す図である。圧力はφに依存して、低圧ＬＰから高圧ＨＰへ変化することが観察され、この際、最大値ＨＰはφ値φＨＰについて観察される。位置φＨＰはたとえば静翼１７の後縁２１の角位置に依存する。有利には、位置φＨＰは隣り合う（すなわち隣接する）静翼１７の後縁２１の角位置の間、有利には中間にあるが、これらの角位置よりもいくぶん前後であってよく、上述の他のパラメタに依存してもよい。圧力変化は、たとえば、静翼列の下流領域におけるいわゆる立ち上がり効果によるものである。
【００８７】
流体の圧力分布および温度の両方により支配される作用流体の流路が、タービン１のどの構成部品が高温により損傷される可能性があるかを決定するため、温度および圧力の分布は、たとえば、図３Ｃ中に曲線４３で示されるように、先端の漏れ温度に達するよう組み合わされる。曲線４３は、たとえば、図３Ａおよび３Ｂにそれぞれ示されている曲線３９および４１から和、積などを形成することにより得られる。損傷リスクが高い角位置について、しきい値Ｓを超える曲線４３の角位置を決定することにより識別することができる。しきい値Ｓを超える領域３７ａにおける損傷リスクを無くすため、たとえば、これらの領域３７ａ内のこれらの角位置において特にまたはそこにだけ冷却ダクトの出口を設けることにより、これらの領域３７ａに冷却流体が供給される。漏れ温度がしきい値Ｓ以下まで落ちる他の角度領域３５ａにおいて、作用空間１１ａを冷却空間３１から分けるケーシング部分は一体化され、冷却流体に関して密であり、これにより、冷却空間３１から作用空間１１ａ、１１ｂに冷却流体が流れない。したがって、高温値および高圧値の両方の影響を受けない構成部品の不良な冷却が避けられる。
【００８８】
本発明は、記載の実施形態に限定されない。
【００８９】
まとめると、本発明はエネルギー変換用タービンに関するものであり、該エネルギー変換用タービン、該タービンは、ケーシングと；ケーシング内に支承され、軸方向に延びる回転軸５の回りに回転可能な回転シャフトと；ケーシング内に形成された、作用流体供給用の少なくとも１つの流体導入ダクト１３と；ケーシング内に固定された、後縁２１を有する少なくとも１つの静翼１７と；回転シャフトに固定され、その半径方向の外周端に動翼先端２３が設けられている少なくとも１つの動翼９と；ケーシング内に設けられた、出口２９を有する少なくとも１つの冷却ダクト２５と、を備えており、該タービンにおいて、冷却ダクト２５の出口２９は動翼先端２３の冷却のために動翼先端２３の上流の空隙に方向付けられており、冷却ダクト２５は、タービンの動作中、より多くの量の冷却流体が、第１の円周方向位置と実質的に同じ円周方向位置を有する第１の領域の空隙内に供給され、かつ、より少ない量の冷却流体が第１の円周方向位置よりも他の円周方向位置における空隙に供給されるような位置および寸法で設けられている。
【００９０】
これにより、流路の空気における圧力および温度の変化を考慮して、特に燃焼系の限定された数のバーナーのために、バーナーが存在するのと同じ数の高温領域を通常有する、高温およびより低温領域の円周方向のパターンが流路に存在することを考慮して、最も効果的なやり方で冷却空気を分散させることができる。
【００９１】
また、先端シール部分のすぐ上流側に位置するノズル静翼からの立ち上がり効果のために、流路の回りにはより高温およびより低圧の円周方向のパターンが存在する。ノズル静翼の後縁それぞれは、構成部品の下流の高圧および低圧領域を生じさせる。流路の圧力が最も高い場所では、たとえば空気は先端シール部分の上流の空隙に導かれる。この空気のいくぶんかは、先端シール部分およびタービンの動翼の間を通り、タービンの動翼の下流の流路に再度入る。本発明の冷却は、この高温ガスの漏れ流路に対する解決手段を提供する。この空気の残りは、タービンの翼の上流の流路だが、圧力がより低い円周方向位置に再度入る。
【００９２】
先端シール部分が最も厳しい条件にさらされる円周方向位置は、上述のより高圧の領域がバーナーにより生じる最も高温と一致する場所である。本発明によれば、ほとんどの冷却空気は、これらの位置に供給されるべきである。空隙内に導かれる作用流体がより高温ではないこれらの位置において、より少ない冷却空気が先端シール部分を保護するために必要とされる。
【００９３】
中心的な考えは、全ての先端シール部分に対して同じではない非対称な円周方向のパターンで、冷却空気を先端シール部分に供給する冷却孔を離すことである。最も高い流路温度および最も高い流路圧力が、最大の冷却空気が供給されるべき同じ位置に存在するために、これはなす事ができる。孔は先端シール部分内に開けることができ、または、孔はノズルおよび先端シール部分を支承するキャリアリングに開けることができる。これはたとえばエンジンの設計に依存している。
【００９４】
本発明により、温度および圧力の変動は解決可能である。有利なことに、冷却孔は流路の温度および圧力がいずれも高く、最大の冷却が実現されように離される。流路の圧力が高いが温度の低い環境の場所では、より少ない数の冷却孔によるより低い冷却でもよい。流路の圧力が低く、温度が高い場合は、いくぶんより少ない冷却であってもよい。最後に、流路の温度および圧力がいずれも低い場合、最小またはゼロの冷却が供給されるべきである。
【符号の説明】
【００９５】
１  タービン、  ３ａ、３ｂ、３ｃ、３ｄ  タービンステータ位置、  ３ｅ  ケーシングの先端シール位置、  ５  回転軸、  ７  動翼ホルダ、  ９  動翼、  １１、１１ａ、１１ｂ  作動空間、  １３  流体導入ダクト、  １４  流体導入ダクトの中心、  １５  作用流体の方向、  １７  静翼、  １８  静翼の上流側凹面、  １９  静翼の前縁、  ２０  静翼の下流側凸面、  ２１  静翼の後縁、  ２３  動翼先端、  ２５  冷却ダクト、  ２７  冷却ダクト入口、  ２９  冷却ダクト出口、  ３１  冷却空間、  ３３  冷却ダクト出口の中心、  ｚ２１  静翼の後縁部分の軸方向位置、  ｚ３３  冷却ダクト出口の中心の軸方向位置、  ｚ２３  動翼先端の軸方向位置、  ３５、３５ａ  一体化ケーシングのｚ−φ範囲、  ３７、３７ａ  冷却ダクト出口を有するケーシングのｚ−φ範囲、  ３９  温度分布、  ４１  圧力分布、  ４３  漏れ流れの温度、  φ１４  流体導入ダクトの中心の角度位置、  φ２１  静翼の後縁の角度位置、  φ３３  冷却ダクト出口の角度位置、  Δφ（ｅｎｔｒｙ）  流体導入に関する角度範囲、  Δφ（ｅｄｇｅ）  静翼の後縁に関する角度範囲、  ＨＴ  高温、  ＬＴ  低温、  ＨＰ  高圧、  ＬＰ  低圧、  Ｓ  損傷測定のしきい値
【図１】
2013516561.tif 000003
【図２】
2013516561.tif 000004
【図３Ａ】
2013516561.tif 000005
【図３Ｂ】
2013516561.tif 000006
【図３Ｃ】
2013516561.tif 000007
【国際調査報告】
2013516561.tif 000008
2013516561.tif 000009